(57)【特許請求の範囲】
【請求項１】
作物を栽培する培土層と、この培土層を下方から受ける不透水性の受面と、この受面の一部を凹設した不透水性の貯水溝とを有するベース層と、前記貯水溝の上部開口を覆い、前記受面とともに培土層を下方から受ける透水性を有する蓋部と、前記貯水溝から培土層に跨がるように貯水溝の内壁面および受面の上面に沿わせて配設され、貯水溝内の水を毛管現象により培土層に供給する水供給手段とを備え、前記貯水溝が、貯水された水の排水手段を有している作物栽培床構造。
【請求項２】
貯水溝が培土層から外れた位置に水の補給口を備えている請求項１に記載の作物栽培床構造。
【請求項３】
ベース層が、畝状の盛土部の中央に溝状部を凹設したのち、この溝状部の両側の盛土部の上面および溝状部の内壁面に沿うように不透水性シートを敷設することによって形成されている請求項１または請求項２に記載の作物栽培床構造。
【発明の詳細な説明】
【０００１】
【発明の属する技術分野】
本発明は、作物栽培床構造に関するものである。
【０００２】
【従来の技術】
野菜や鑑賞植物あるいは樹木や草木などの作物を栽培するには、この栽培する作物に適量の水を供給する必要がある。
従来より、作物への水の供給は、雨水に依存するか、水道水などを作物に散水することにより行われていた。
【０００３】
【発明が解決しようとする課題】
しかし、雨水のみに依存した作物への水の供給方法の場合、日照りが続いて雨が降らなければ、作物への水の供給が全く出来ず、また、反対に雨の量が多過ぎると、作物の根腐れを引き起こしてしまうなどの弊害が生じてしまう。
【０００４】
一方、水道水などを作物に散水することにより作物への水の供給を行うときは、水を作物に散水する作業が、人力で行うには手間が掛かり過ぎてしまうという問題がある。また、スプリンクラーなどの自動散水装置などの設備を利用して、水を作物に散水することも考えられるが、この場合は、機械を導入するための設備投資に費用がかかりすぎてしまうという問題がある。
【０００５】
そこで、本発明は、上記問題点を鑑みて、費用のかかる設備を設けることもなく、適量の水を常に作物に供給することができる作物栽培床構造の提供を目的としてなされた。
【０００６】
【課題を解決するための手段】
上記目的を達成するために、本発明の請求項１における作物栽培床構造は、作物を栽培する培土層と、この培土層を下方から受ける不透水性の受面と、この受面の一部を凹設した不透水性の貯水溝とを有するベース層と、前記貯水溝の上部開口を覆い、前記受面とともに培土層を下方から受ける透水性を有する蓋部と、前記貯水溝から培土層に跨がるように貯水溝の内壁面および受面の上面に沿わせて配設され、貯水溝内の水を毛管現象により培土層に供給する水供給手段とを備え、前記貯水溝が、貯水された水の排水手段を有している構成をしている。
【０００７】
また、本発明の請求項２における作物栽培床構造は、請求項１に記載の構成に加えて、貯水溝が培土層から外れた位置に水の補給口を備えている構成をしている。
さらに、本発明の請求項３における作物栽培床構造は、請求項１または請求項２に記載の構成に加えて、ベース層が、畝状の盛土部の中央に溝状部を凹設したのち、この溝状部の両側の盛土部の上面および溝状部の内壁面に沿うように不透水性シートを敷設することによって形成されている構成をしている。
【０００８】
【発明の実施の形態】
以下に、本発明にかかる作物栽培床構造の実施の形態を図面に基づいて詳細に説明する。
図１は、本発明にかかる作物栽培床構造の一実施の形態を示した作物栽培床１の断面図である。
図１に示したように、作物栽培床１は、ベース層２と、培土層３と、水供給手段としての保水性シート４と、蓋部５とを備えている。
【０００９】
ベース層２は、貯水溝２２と、受面２３とを備え、不透水性シート２１により貯水溝２２および受面２３が不透水性となっている。
すなわち、ベース層２は、図１〜図３に示したように、盛土を行い畝状に形成した盛土部２０の上面を略平坦になるように均すことで受面２３を形成し、この受面２３の中央に貯水溝２２を凹設した後、これら受面２３および貯水溝２２の表面に臨ませるように不透水性シート２１を敷設することで形成される。
【００１０】
不透水性シート２１は、不透水性を有する樹脂材料を大きな一枚のシート形状に形成したものであり、貯水溝２２に溜まっている水が盛土部２０にしみ込んでいくのを防止するとともに、後述するように培土層３の過剰な水を貯水槽２２に伝わらせようになっている。
【００１１】
貯水溝２２は、図３に示したように貯水された水の排水手段としての堰２２２と、図２および図３に示したように水の補給口２２３とを備えており、この貯水溝２２の上部開口部分が図１に示したように蓋部５で覆われるようになっている。
堰２２２は、図２および図３に示したように、作物栽培床１の一端側に設けられており、貯水溝２２内に貯留されている水量が増えたとき、図３の破線で示したように、堰２２２を形成している堰板を上側にスライドさせて、貯水溝２２内の水を排水させるようになっている。
【００１２】
水の補給口２２３は、図３に示したように、貯水溝２２の上方に培土層３が形成されていない位置、すなわち、貯水溝２２が培土層３よりも外側に臨んでいる位置に設けられており、図３に示したように、水道などの給水手段２２３ａより供給される水を貯水溝２２へ補給するための注水口となっている。
受面２３は、図１に示したように、貯水溝２２に近づく程、低くなるように、勾配が設けられている。
【００１３】
培土層３は、図１および図２に示したように、ベース層２の上に、作物Ｐを栽培する培土を積層させることにより形成されており、この培土層３の周囲には、積層されている培土が崩れるのを防止するための枠３１が設けられている。
【００１４】
保水性シート４は、高密度の不織布からなるシートにより形成されており、図１に示したように、貯水溝２２から透水シート２３を介して培土層３に跨がるように、貯水溝２２の内壁面および受面２３の上面に沿わせて配設されている。
また、保水性シート４は、作物Ｐが根から培土層３の水を吸収していっても、その分、貯水溝２２に貯水している水を、培土層３に供給するようになっている。
【００１５】
蓋部５は、孔開き蓋５０と、透水性シート５１とを備えている。
孔開き蓋５０は、貯水溝２２の上部開口を覆い、受面２３とともに後述する培土層３を下方から受けるようになっており、培土層３の過剰な水を貯水溝２２に排水させる通水孔５００を有している。
【００１６】
透水性シート５１は、透水性のみを有し培土層３を形成する培土が通過されないように、抗菌性を含有するポリオレフィン系樹脂からなる合成繊維をクロス状に編むことにより形成されている。
透水性シート５１は、培土層３を形成する培土が、孔開き蓋５０の通水孔５００内から貯水溝２２内へ流出してしまったり、通水孔５００に入り込んで詰まらせるのを防止する役割を有している。
【００１７】
透水性シート５１は、図１に示したように、受面２３および孔開き蓋５０と、培土層３との間にサンドイッチ状に挟まれるように配設されており、透水性シート５１の両端部分を上方に折り曲げている。したがって、培土層３に過剰の水が生じたとき、この水を下方以外に側方からも排出させることができ、しかも、このとき培土が水とともに流れだしてしまうことがないようになっている。
【００１８】
次に、本発明の構造をしている作物栽培床１の作用について説明する。
作物栽培床１では、図１〜図３に示したように、従来から用いられている土床と同じように、培土層３で作物Ｐを栽培する。
このとき、図１に示した貯水溝２２内に水を溜めておく。すると、貯水溝２２内の水は、保水性シート４を介して毛管現象により、ベース層２の受面２３位置まで、すなわち透水性シート５１に臨んでいる位置まで上昇していく。
その後、水は、透水性シート５１を通過して培土層３に伝わり、作物Ｐの取り込まれる。
【００１９】
一方、大雨が降るなどして、培土層３に過剰の水が含まれるようになった場合、前記過剰の水は、培土層３の下方の透水性シート５１を通過して、受面２３および孔開き蓋５０まで達する。
受面２３まで達した水は、受面２３の勾配により、貯水溝２２内へと流出していく。また、孔開き蓋５０まで達した水は、通水孔５００から貯水溝２２内へと排出していく。
【００２０】
また、貯水溝２２内に流出した水により、貯水溝２２内の水量が増えたときは、堰２２２を形成する堰板を上側にスライドさせて開放し、この堰２２２から貯水溝２２内の水を排水する。
さらに、全く雨が降らない場合は、図３に示した水補給手段２２３ａから水の補給口２２３に水を供給する。すると、貯水溝２２内が水で満たされた状態となり、保水性シート４を介して、培土層３に水が供給される。また、作物Ｐが培土層３中の水を吸収しても、その分保水性シート４を通じて、貯水溝２２内の水が培土層３へと供給される。
【００２１】
以上のように、本発明にかかる作物栽培床１は、貯水溝２２に水を貯水しておくだけで、培土層３に水が供給されるため、水を散水する必要がなく、手間がかからない。
また、作物栽培床１は、貯水溝２２を備えたベース層２と、培土層３との間に保水性シート４を配設するだけの簡単な構造であるため、費用をかけないで栽培床を作成することができる。
さらに、作物栽培床１は、受面２３が貯水溝２２に近づくほど勾配しているため、培土層３から過剰な水分が受面２３に達したとき、速やかに貯水溝２２へと流出していく。
【００２２】
また、作物栽培床１は、下方から保水性シート４が有している毛管現象を利用して、貯水溝２２内の水を培土層３に供給するため、培土層３の上方から水を散水するときのように、培土層３の土を流出させることなく、培土層３に水を供給することができる。
【００２３】
加えて、作物栽培床１は、透水性シート５１が培土層３とベース層２との間に備わっているため、下方部分から培土層３の土が貯水溝２２内に流れ出てしまうことがない。
また、透水性シート５１は、抗菌性を含有するポリオレフィン系樹脂からなる合成繊維で形成されているため、野菜などの農作物をより安心して栽培することができる。
【００２４】
さらに、作物栽培床１は、水の補給口２２３が設けられているため、貯水溝２２内の水量が一定以下になったとき、新たに水を貯水溝２２に補給することができ、貯水溝２２内の水が涸れてしまうのを防止することができる。
【００２５】
加えて、培土層３は、積層させている培土層３の厚みを薄くすることができる。したがって、作物栽培床１を用いて路地栽培を行うと、この作物栽培床１に太陽光があたったとき、培土層３を耕さなくても培土層３の内部まで太陽熱が完全に行き渡り、土壌内の病害菌の殺菌が行われ、土壌病害を防ぐことができるのに加えて、長期間の作物栽培や作物の連作も可能となる。
また、作物栽培床１は、貯水溝２２内に貯水している水に栄養剤を加えて、作物をより効率よく栽培していくこともできる。
【００２６】
なお、本発明にかかる作物栽培床構造は、上述した実施の形態に限定されない。
たとえば、上述した実施の形態では、ベース層２は、盛土を行い畝状にした盛土部２０の上面を略平坦になるように均して受面２３を形成し、この受面２３の中央に貯水溝２２を凹設した後、これら受面２３および貯水溝２２の表面に臨ませるように不透水性シート２１を敷設することで形成されていたが、不透水性シート２１に代えて、不透水性を有する板体を用いたり、樹脂やセメントなどで加工することにより、盛土部２０の受面２３および貯水溝２２を不透水性としても良い。
【００２７】
また、ベース層２自身が不透水性を有する材質のもので形成されていても構わない。加えて、ベース層２は、土を畝状に積み上げた盛土部２０に代えて、地面に直接貯水溝を凹設し、これに不透水性シート２１を敷設するようにしても良い。
【００２８】
さらに、貯水溝２２には、この貯水溝２２内の水位が少なくなると、自動的に水の給水手段２２３ａが作動して水の補給口２２３から水を補給し、貯水溝２２内の水位が多くなると堰２２２から水を排出させる水位調節装置を設けるようにしても構わない。
また、作物栽培構造１は、排水手段が堰構造をしていたが、これに代えて、大きさを任意に調節できる排水口を設けても良いし、排水ポンプなどの強制的に排水を行う手段を設けて排水を行うようにしても良い。
【００２９】
また、保水性シート４は、高密度の不織布を貯水溝２２から透水シート２３を介して培土層３に跨がるように、貯水溝２２の内壁面および受面２３の上面に沿わせていたが、毛管現象により、溝内の水を培土層に供給することができるのであれば、他の形態をしていても構わない。
すなわち、たとえば、保水性シート４として、不織布の代わりに織布や、連続発泡製の樹脂などにより形成されたシートを用いたり、シート形状をした保水性シートに代えて、糸や帯状の布切れなどを貯水溝２２から培土層３に跨がるように配設しても構わない。
【００３０】
さらに、蓋部５は、通水孔５００を備えた孔開き蓋５０が用いられていたが、孔開き蓋５０に代えて、通水溝を備えた蓋を用いても構わないし、蓋自身が透水性を有するようになっていても構わない。
【００３１】
また、蓋部５は、孔開き蓋５０とともに透水性シート５１を備えていたが、透水性シート５１を備えずに蓋のみで蓋部５を形成するようにしても構わない。ただし、この場合、貯水溝２２の上部開口を覆う蓋は、培土を通さないという性質を有する必要がある。
さらに、透水性シート５１は、抗菌性を含有するポリオレフィン系樹脂からなる合成繊維をクロス状に編むことにより形成されていたが、他の編み方により形成された透水性シートや、他の合成樹脂により形成された透水性シート、あるいは抗菌性を有していない透水性シートを用いても構わない。
【００３２】
【発明の効果】
以上のことより、本発明の請求項１に示した作物栽培床構造は、溝内の水を培地に下から毛管現象を利用して送ることで、水の散水装置などの費用のかかる設備を設けることなく、作物に水を供給していくことができる。また、培地の水が過剰となったときは、この過剰水が溝に流れ出し、さらに、溝の水位が所定量以上となったときは、この過剰水を排水手段から排出させるため、作物が水の過多による根腐れを起こすこともない。
【００３３】
また、本発明の請求項２に示した作物栽培床構造は、請求項１に記載の効果に加えて、水補給手段が設けられているため、日照りが続くなどして、乾燥が強いときであっても、溝内の水が涸れ果ててしまうことがない。
【００３４】
また、本発明の請求項３に示した作物栽培床構造は、請求項１または請求項２に記載の効果を有する作物栽培床構造を容易に形成させることができる。
【図面の簡単な説明】
【図１】本発明の作物栽培床構造の一実施の形態を示した正面視断面図である。
【図２】図１の作物栽培床構造の斜視図である。
【図３】図１の作物栽培床構造の側面視断面図である。
【符号の説明】
１        作物栽培床
２        ベース層
２０      盛土部
２１      不透水性シート
２２      貯水溝
２２２    排水手段
２２３    水の補給口
２３      受面
３        培土層
４        保水性シート（水供給手段）
５        蓋部
５０      孔開き蓋
５００    通水孔
【図１】
0004143226.tif 000002
【図２】
0004143226.tif 000003
【図３】
0004143226.tif 000004